【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
インナ部材がアウタ部材に組み込まれて等速ジョイントが構成された際の該インナ部材における球形内面の中心からインナ側ボール溝の中心までの距離を測定する等速ジョイントの寸法測定方法であって、
球形内面の中心からインナ側ボール溝の中心までの距離が予め測定された測定基準となるインナ部材を支持するとともに、該インナ部材に設けられたインナ側ボール溝中の数本にボールをそれぞれ挿入し、
前記ボール同士の間に配置された測定子を突出させて前記インナ側ボール溝同士の間に位置する外周面に当接させ、当接までに至る前記測定子の変位量を基準変位量とし、
測定対象であるインナ部材を支持するとともに、該インナ部材に設けられたインナ側ボール溝中の数本にボールをそれぞれ挿入し、
前記測定子を変位させて外周面に当接させ、
当接までに至る前記測定子の変位量と前記基準変位量との差を算出することを特徴とする等速ジョイントの寸法測定方法。
【請求項２】
請求項１記載の測定方法において、前記測定子の変位量と前記基準変位量との差が予め設定された範囲内である場合に、インナ部材の寸法精度が許容範囲内であると判定することを特徴とする等速ジョイントの寸法測定方法。
【請求項３】
等速ジョイントのインナ部材における球形内面の中心からインナ側ボール溝の中心までの距離を測定するための等速ジョイント用寸法測定装置であって、
架台と、
前記架台に設けられて前記インナ部材を収容する収容部と、
前記収容部の上方に配置されて前記インナ部材の貫通孔に通される部位が設けられた保持棒を有する保持機構と、
前記収容部の内部に配設されて前記インナ部材に設けられた複数のインナ側ボール溝に個別に挿入される複数のボールと、
前記ボール同士の間に配置されて前記インナ部材の外周面に対して当接又は離間する測定子と、
前記測定子を前記外周面に対して当接又は離間させる変位機構と、
前記測定子が前記外周面に当接した際、当接に至るまでの該測定子の変位量を表示する変位量表示部と、
を有することを特徴とする等速ジョイント用寸法測定装置。
【請求項４】
請求項３記載の装置において、前記測定子は、該測定子が一端部に固定された回動部材の他端部が押圧部材で押圧されて回動動作することに伴って前記外周面から離間する一方、前記回動部材の前記他端部が前記押圧部材の押圧力から解放されることに伴って前記外周面に接近することを特徴とする等速ジョイント用寸法測定装置。
【手続補正２】
【補正対象書類名】明細書
【補正対象項目名】００１８
【補正方法】変更
【補正の内容】
【００１８】
また、本発明は、等速ジョイントのインナ部材における球形内面の中心からインナ側ボール溝の中心までの距離を測定するための等速ジョイント用寸法測定装置であって、
架台と、
前記架台に設けられて前記インナ部材を収容する収容部と、
前記収容部の上方に配置されて前記インナ部材の貫通孔に通される部位が設けられた保持棒を有する保持機構と、
前記収容部の内部に配設されて前記インナ部材に設けられた複数のインナ側ボール溝に個別に挿入される複数のボールと、
前記ボール同士の間に配置されて前記インナ部材の外周面に対して当接又は離間する測定子と、
前記測定子を前記外周面に対して当接又は離間させる変位機構と、
前記測定子が前記外周面に当接した際、当接に至るまでの該測定子の変位量を表示する変位量表示部と、
を有することを特徴とする。
【手続補正３】
【補正対象書類名】明細書
【補正対象項目名】００３５
【補正方法】変更
【補正の内容】
【００３５】
架台３２を構成する天板３４には、段部１０６を有する貫通孔１０８が設けられている。一方、前記収容部３６の底部には円柱状突出部１１０（図２参照）が突出形成されており、この円柱状突出部１１０が前記貫通孔１０８に嵌合されることによって収容部３６が位置決め固定されている。なお、この嵌合の際、前記段部１０６には収容部３６の底部が着座する。
【手続補正４】
【補正対象書類名】明細書
【補正対象項目名】００４５
【補正方法】変更
【補正の内容】
【００４５】
次いで、ハンドルレバー１３６を回動させた状態を保持しながら、図２に示すように、インナ部材１４を収容部３６の内部に収容する。この際、図２のＩＩＩ−ＩＩＩ線矢視断面図である図３に示すように、６個のインナ側ボール溝２６ａ〜２６ｆ中の３個のインナ側ボール溝２６ａ、２６ｃ、２６ｅに収容部３６のボール４４ａ〜４４ｃが挿入される。インナ側ボール溝２６ａ、２６ｃ、２６に挿入されたボール４４ａ〜４４ｃの中心からインナ部材１４の中心線Ｌ（図４参照）に向けて引いた垂線が、前記Ｃ点で交差する位置となると、ボール４４ａ〜４４ｃが堰止されてインナ側ボール溝２６ａ、２６ｃ、２６にそれ以上挿入されなくなる。これに伴い、インナ部材１４が位置決めされる。
【手続補正５】
【補正対象書類名】明細書
【補正対象項目名】００４７
【補正方法】変更
【補正の内容】
【００４７】
インナ側ボール溝２６ａ、２６ｃ、２６ｅにボール４４ａ〜４４ｃを挿入した後（図３参照）、ハンドルレバー１３６を解放すれば、コイルスプリング１３０ａ、１３０ｂは、伸張することによって回帰用棒部材１２２ａ、１２２ｂの大径円板部１２８ａ、１２８ｂを図１における下方に弾発付勢する。これによりハンドルレバー１３６が矢印Ｂ方向に回動することに追従して、回帰用棒部材１２２ａ、１２２ｂと、該回帰用棒部材１２２ａ、１２２ｂに連結バー１２４を介して連結された保持棒４０とが下方に変位する。保持棒４０の挿入部１２６は、最終的に、インナ部材１４の貫通孔２７に挿入され、これによりインナ部材１４が確実に保持されるに至る（図２参照）。
【手続補正６】
【補正対象書類名】明細書
【補正対象項目名】００５６
【補正方法】変更
【補正の内容】
【００５６】
次に、オフセット量が未知であるインナ部材を上記と同一の手順で寸法測定装置３０の収容部３６に位置決め固定するとともに、該インナ部材の外周面に測定子４６を当接させる（図３参照）。この測定子４６の変位に伴ってマイクロゲージ５０の測定芯９８が変位し、最終的に、指針が変位する。
【手続補正７】
【補正対象書類名】明細書
【補正対象項目名】００５９
【補正方法】変更
【補正の内容】
【００５９】
このように、本実施の形態においては、転動ボール１６が停止する位置で基準インナ部材１４を位置決め固定し、この基準インナ部材１４の外周面に測定子４６を当接させることによってオフセット量に対応する該測定子４６の変位量を先ず求め、次に、この変位量と他のインナ部材での変位量とを比較して該インナ部材のオフセット量が公差範囲内であるか否かを判別するようにしている。従って、本実施の形態によれば、１回の簡便な測定でオフセット量を容易に測定することができ、このために測定効率を向上させることができるという利点が得られる。
【手続補正８】
【補正対象書類名】明細書
【補正対象項目名】００６０
【補正方法】変更
【補正の内容】
【００６０】
なお、上記した実施の形態では、回動部材６０を回動させることによって測定子４６を変位させるようにしているが、測定子４６をインナ部材１４の外周面に接近・離間させることが可能であれば、どのような変位機構であってもよい。
【手続補正９】
【補正対象書類名】図面
【補正対象項目名】図３
【補正方法】変更
【補正の内容】
【図３】
2006010460.tif 000001
【手続補正１０】
【補正対象書類名】図面
【補正対象項目名】図４
【補正方法】変更
【補正の内容】
【図４】
2006010460.tif 000002
【手続補正１１】
【補正対象書類名】図面
【補正対象項目名】図５
【補正方法】変更
【補正の内容】
【図５】
2006010460.tif 000003